(57)【要約】【課題】  低コストで製作し、低ランニング・コストで、構成が簡単で、小型化、軽量化、一体化をし、簡単に標準電波が受信できる装置を提供する。【解決手段】  標準電波である４０ＫＨｚと６０ＫＨｚを誘起するフェライトバーアンテナと、前置増幅回路と、高周波可変減衰回路と、高周波増幅回路１と、４０ＫＨｚのみを通過させる水晶式バンドパスフィルター回路と、高周波増幅回路２と、プロダクト検波回路と、２０ＭＨｚ発振回路と、２０ＭＨｚ分周回路と、低周波減衰回路と、２次のローパスフィルタ回路が３段分直列にした回路と、スピーカ及びイヤフォンを鳴らすため電力増幅回路からなり、本発明は、低コストで製作でき、低ランニング・コストで、構成が簡単で、小型化、軽量化、一体化ができる。【選択図】図４
2009124359.tif 000002
【特許請求の範囲】
【請求項１】
４０ＫＨｚの標準電波を誘起するフェライトバーアンテナと、その信号を増幅する前置増幅回路と、その信号の強度を可変する高周波減衰回路と、その信号を増幅する高周波増幅回路１と、その４０ＫＨｚのみを通過させる水晶式バンドパスフィルター回路と、その信号を増幅する高周波増幅回路２と、その信号を検波するためのプロダクト検波回路と、そのプロダクト検波回路に加える発振回路は２０ＭＨｚ水晶発振回路から２０ＭＨｚ分周回路と、検波した信号から音量調整のための低周波減衰回路と、不要な高域信号を減衰させる２次のローパスフィルタ回路が３段分直列にした回路と、スピーカ及びイヤフォンを鳴らすため電力増幅回路からなる標準電波受信装置。
【請求項２】
６０ＫＨｚの標準電波を誘起するフェライトバーアンテナと、その信号を増幅する前置増幅回路と、その信号の強度を可変する高周波減衰回路と、その信号を増幅する高周波増幅回路１と、その６０ＫＨｚのみを通過させる水晶式バンドパスフィルター回路と、その信号を増幅する高周波増幅回路２と、その信号を検波するためのプロダクト検波回路と、そのプロダクト検波回路に加える発振回路は２０ＭＨｚ水晶発振回路から２０ＭＨｚ分周回路と、検波した信号から音量調整のための低周波減衰回路と、不要な高域信号を減衰させる２次のローパスフィルタ回路が３段分直列にした回路と、スピーカ及びイヤフォンを鳴らすため電力増幅回路からなる標準電波受信装置。
【発明の詳細な説明】
【技術分野】
【０００１】
本特許は、低コストで製作し、低ランニング・コストで、構成が簡単で、小型化、軽量化、一体化をし、簡単に受信出来る。
【背景技術】
【０００２】
標準電波受信可能な装置には、一般には通信型受信機がある。（例えば、非特許文献１および非特許文献２を参照。）。これは広範囲の周波数を受信または、その周波数に応じた電波形式を受信する装置である。
【０００３】
最初に前記非特許文献１の装置について述べる。この通信型受信機は受信機とアンテナが別々に分かれている。受信周波数は０〜３２ＭＨｚで２．６５５ＨｚステップでＡＭ，ＮＦＭは１０．６２Ｈｚである。受信電波形式はＡＭ，ＳＳＢ，ＮＦＭ，ＣＷ／ＤＡＴＡがある。外形寸法は受信機が横２３８ｍｍ×奥行き２２７ｍｍ×高さ９３ｍｍで、アンテナが横３００ｍｍ×奥行き１０５ｍｍ×高さ４２０ｍｍである。重量は受信機が約２．２Ｋｇ、アンテナが約４４５ｇある。消費電力は受信機がＡＣ１００Ｖ約３０Ｗ、アンテナがＡＣ１００Ｖ約５Ｗある。
【０００４】
次に、非特許文献２の装置について述べる。この通信型受信機は受信機とアンテナが別々に分かれている。受信周波数は１０ｋＨｚ〜３０００ＭＨｚで受信電波形式はＡＭ，ＦＭ，ＵＳＢ，ＬＳＢ＆ＣＷである。外形寸法は受信機が横２１７ｍｍ×奥行き２６０ｍｍ×高さ１００ｍｍで、アンテナが横３００ｍｍ×奥行き１０５ｍｍ×高さ４２０ｍｍである。重量は受信機が約３．５Ｋｇ、アンテナが約４４５ｇある。消費電力は受信機がＡＣ１００Ｖ約１００Ｗ、アンテナがＡＣ１００Ｖ約５Ｗある。
【非特許文献１】通信型受信機：株式会社  エーオーアール  ＡＲ７０３０  取扱説明書  アンテナ：株式会社  エーオーアール  ＬＲ３８０  取扱説明書
【非特許文献２】通信型受信機：株式会社  エーオーアール  ＡＲ５０００Ａ  製品カタログ  アンテナ：株式会社  エーオーアール  ＬＲ３８０  取扱説明書
【発明の開示】
【発明が解決しようとする課題】
【０００５】
以下非特許文献１と非特許文献２について述べる。これらの価格は本発明に比べ高額であるので購入コストがかかる。
【０００６】
これらで使っている通信型受信機はＡＣ１００Ｖ専用であり、乾電池は使用出来ない。
【０００７】
これらは本発明品のサイズの横９０ｍｍ×奥行き１３５ｍｍ×高さ３５ｍｍ程度に比べ装置のサイズが大きいので製作、保存、運搬および取り付けに手間がかかり不便である。
【０００８】
これらは受信機とアンテナが一体型でないので製作、保存、運搬および取り付け時に不便である。
【０００９】
これらは本発明品の重量の（乾電池を除く）約２１０ｇ程度に比べ重いので製作、保存、運搬および取り付けに不便であるし、輸送コストもかかるので経済的にコスト高である。
【００１０】
これらは本発明に比べ回路が複雑であるので故障が必然的に多くなる。電子回路はＩＣ、トランジスター、ダイオードなどの半導体や抵抗、コンデンサー、コイルなどの部品の組み合わせにより動作をさせるものである。同じ条件で製作し、使用した場合、部品が多くなれば多くなるほど故障する率は高くなる。
【課題を解決するための手段】
【００１１】
本発明の請求項１記載の発明は、４０ＫＨｚの標準電波を誘起するフェライトバーアンテナと、前置増幅回路と、高周波可変減衰回路と、高周波増幅回路１と、４０ＫＨｚのみを通過させる水晶式バンドパスフィルター回路と、高周波増幅回路２と、プロダクト検波回路と、２０ＭＨｚ水晶発振回路と、２０ＭＨｚ分周回路と、低周波減衰回路と、２次のローパスフィルタ回路が３段分直列にした回路と、スピーカ及びイヤフォンを鳴らすため電力増幅回路からなる標準電波受信装置である。これらの発明は低コストで製作し、低ランニング・コストで、構成が簡単で、小型化、軽量化、一体化をし、前記発明が解決しようとする課題を全て解決したものである。
【００１２】
本発明の請求項２記載の発明は、６０ＫＨｚの標準電波を誘起するフェライトバーアンテナと、前置増幅回路と、高周波可変減衰回路と、高周波増幅回路１と、４０ＫＨｚのみを通過させる水晶式バンドパスフィルターと、高周波増幅回路２と、プロダクト検波回路と、２０ＭＨｚ水晶発振回路と、２０ＭＨｚ分周回路と、低周波減衰回路と、２次のローパスフィルタ回路が３段分直列にした回路と、スピーカ及びイヤフォンを鳴らすため電力増幅回路からなる標準電波受信装置である。これらの発明は低コストで製作し、低ランニング・コストで、構成が簡単で、小型化、軽量化、一体化をし、前記発明が解決しようとする課題を全て解決したものである。
【発明の効果】
【００１３】
本発明は、一般に大量に出回り、低価格で販売されている部品で構成するために、低コストで製作できる。
【００１４】
従来品に比べ簡単な構造であるため、故障が少なく、小型化および軽量化ができる。
【００１５】
一体型になっているので製作、保存、運搬および取り付けなどに適している。
【００１６】
本発明は、電波時計だけでは適正な設置位置がわかりずらく、標準電波の受信音を直接聞くことにより適正な電波時計の設置場所を決めることができる。
【００１７】
本発明は、電波時計だけでは適正な設置方向がわかりずらく、標準電波の受信音を直接聞くことにより適正な電波時計の設置方向を決めることができる。
【００１８】
本発明は、標準電波の受信音を直接聞くことにより４０ＫＨｚ及び６０ＫＨｚ付近の雑音を聞くことが出来る。
【発明を実施するための最良の形態】
【００１９】
以下、この発明につき図面を参照しつつ詳細に説明する。なお、この実施例によりこの発明が限定されるものではない。
また、以下に示す実施例の構成要素には、当業者が置換可能かつ容易なもの、或いは実質的同一のものが含まれる。
【実施の形態１】
【００２０】
図５はこの発明の実施の形態１に係る本発明品を示す斜視図である。図６は、図５に示したII−II線要素縦断面図である。
【図面の簡単な説明】
【００２１】
【図１】本発明の電子回路ブロック図
【図２】本発明の正面図
【図３】本発明の側面図
【図４】本発明の上面図
【図５】本発明の斜視図
【図６】本発明の要素断面図
【符号の説明】
【００２２】
１  フェライトバーアンテナ（４０／６０ＫＨｚ切替式）
２  前置増幅回路
３  高周波可変減衰回路
４  高周波増幅器１
５  水晶式バンドパスフィルタ回路
６  高周波増幅器２
７  プロダクト検波回路
８  低周波減衰回路
９  ２次ローパスフィルタ回路３段分
１０  低周波電力増幅回路
１１  スピーカ
１２  ２０ＭＨｚ水晶発振回路
１３  ２０ＭＨｚ分周回路（４０／６０ＫＨｚ切替式）
１４  受信周波数切替４０／６０ＫＨｚ連動
フェライトバーアンテナと２０ＭＨｚ分周回路をスライドスイッチで連動して切替える。
【００２３】
１  スピーカ
２  イヤフォンジャック
３  周波数切替スイッチ
４  高周波ゲイン調整
５  低周波ゲイン調整
６  電源スイッチ
【００２４】
１  ケース断面
２  コイル巻枠断面
３  コイル断面
４  フェライトコア断面
５  基板断面
【図１】
2009124359.tif 000003
【図２】
2009124359.tif 000004
【図３】
2009124359.tif 000005
【図４】
2009124359.tif 000006
【図５】
2009124359.tif 000007
【図６】
2009124359.tif 000008